(57)【特許請求の範囲】
【請求項１】
各々が一つの基地局によって管理される複数のセルが存在するとともに、異なる複数の無線システムが混在した無線通信環境において無線通信を行なう無線通信システムであって、  前記複数の無線システムが使用している周波数帯域から周波数ホッピング方式によって第１の共通制御チャネルを定期的に選択し、その選択した第１の共通制御チャネル上でキャリアセンスを行ない、前記選択した第１の共通制御チャネルが未使用である場合に前記選択した第１の共通制御チャネルを用いてデータ通信用に用いられるデータチャネルを選択するための情報であり、かつ、各チャネルの使用の有無を示す第１のデータチャネル選択情報を定期的に送信する第１の無線装置と、  前記第１の無線装置が管理する第１のセルに隣接する第２のセルを管理するとともに、前記複数の無線システムが使用している周波数帯域から周波数ホッピング方式によって第２の共通制御チャネルを定期的に選択し、その選択した第２の共通制御チャネル上でキャリアセンスを行ない、前記選択した第２の共通制御チャネルが未使用である場合に前記選択した第２の共通制御チャネルを用いてデータ通信用に用いられるデータチャネルを選択するための情報であり、かつ、各チャネルと各チャネルの使用の有無を示す情報とからなる第２のデータチャネル選択情報を定期的に送信する第２の無線装置とを備え、  前記第１の無線装置は、前記第２の無線装置から前記第２の共通制御チャネルを用いて前記第２のデータチャネル選択情報を必要に応じて受信するとともに、その受信した第２のデータチャネル選択情報と前記第１のデータチャネル選択情報とに基づいて、未使用であり、かつ、重複する未使用データチャネルを決定し、前記未使用データチャネルの中から前記第２の無線装置に対して開放を要求する開放要求データチャネルを決定し、その決定した開放要求データチャネルを前記第２の共通制御チャネルを用いて前記第２の無線装置へ送信する、無線通信システム。
【請求項２】
前記第１の無線装置は、前記第２の無線装置の移動端末として前記開放要求データチャネルを前記第２の無線装置へ送信する、請求項１に記載の無線通信システム。
【請求項３】
前記第２の無線装置は、前記開放要求データチャネルを前記第２の共通制御チャネルを用いて前記第１の無線装置から受信すると、前記第２のデータチャネル選択情報に基づいて前記第１の無線装置に対して開放するデータチャネルを決定するとともに、前記第２のデータチャネル選択情報から前記開放するデータチャネルを削除し、前記開放するデータチャネルを前記第２の共通制御チャネルを用いて前記第１の無線装置へ送信する、請求項１または請求項２に記載の無線通信システム。
【請求項４】
前記第１の無線装置は、開放されたデータチャネルを前記第２の無線装置から前記第２の共通制御チャネルを用いて受信すると、前記第２の無線装置が使用を予定しているデータチャネルを前記第１のデータチャネル選択情報から削除するとともに前記開放されたデータチャネルを前記第１のデータチャネルに加える、請求項１または請求項２に記載の無線通信システム。
【請求項５】
各々が一つの基地局によって管理される複数のセルが存在するとともに、異なる複数の無線システムが混在した無線通信環境において無線通信を行なう無線通信システムに用いられる無線装置であって、  前記複数の無線システムが使用している周波数帯域から周波数ホッピング方式によって共通制御チャネルを定期的に選択する選択手段と、  前記周波数帯域における受信信号強度情報に基づいて、前記選択手段によって選択された第１の共通制御チャネル上でキャリアセンスを行ない、前記選択された第１の共通制御チャネルが未使用である場合に前記第１の共通制御チャネルを用いてデータ通信用に用いられるデータチャネルを選択するための情報であり、かつ、各チャネルと各チャネルの使用の有無を示す情報とからなる第１のデータチャネル選択情報を定期的に送信する送信手段と、  前記周波数帯域における受信信号強度を測定して前記第１の共通制御チャネルに関する受信信号強度情報を生成し、その生成した受信信号強度情報を前記送信手段へ出力するとともに、当該無線装置が管理する第１のセルに隣接する第２のセルを管理する他の無線装置がデータ通信用に用いられるデータチャネルを選択するための情報であり、かつ、各チャネルと各チャネルの使用の有無を示す情報とからなる第２のデータチャネル選択情報を第２の共通制御チャネルを用いて必要に応じて前記他の無線装置から受信する受信手段と、  前記第１および第２のデータチャネル選択情報に基づいて、未使用であり、かつ、重複する未使用データチャネルを決定するとともに、前記未使用データチャネルの中から前記他の無線装置に対して開放を要求する開放要求データチャネルを決定するチャネル決定手段とを備え、  前記送信手段は、更に、前記決定された開放要求データチャネルを前記第２の共通制御チャネルを用いて前記他の無線装置へ送信する、無線装置。
【請求項６】
前記送信手段は、当該無線装置が前記他の無線装置の移動端末として前記開放要求データチャネルを送信するときに、前記開放要求データチャネルを前記他の無線装置へ送信する、請求項５に記載の無線装置。
【請求項７】
前記チャネル決定手段は、前記開放要求データチャネルを前記受信手段が前記第１の共通制御チャネルを用いて前記他の無線装置から受信すると、前記第１のデータチャネル選択情報に基づいて前記他の無線装置に対して開放するデータチャネルを決定するとともに、前記第１のデータチャネル選択情報から前記開放するデータチャネルを削除し、前記開放するデータチャネルを前記第１の共通制御チャネルを用いて前記他の無線装置へ送信する、請求項５または請求項６に記載の無線装置。
【請求項８】
前記送信手段は、開放されたデータチャネルを前記受信手段が前記他の無線装置から前記第２の共通制御チャネルを用いて受信すると、前記他の無線装置が使用を予定しているデータチャネルを前記第１のデータチャネル選択情報から削除するとともに前記開放されたデータチャネルを前記第１のデータチャネル選択情報に加える、請求項５または請求項６に記載の無線装置。
【発明の詳細な説明】
【技術分野】
【０００１】
この発明は、無線通信システムおよびそれに用いられる無線装置に関し、特に、無線資源を有効に利用可能な無線通信システムおよびそれに用いられる無線装置に関するものである。
【背景技術】
【０００２】
従来、他の無線システムへの干渉を回避しながらチャネル選択情報を効率的に共有する無線通信システムが知られている（非特許文献１）。
【０００３】
この無線通信システムは、アクセスポイントと、移動端末とを備える。アクセスポイントは、２４０２〜２４８１ＭＨｚの帯域中に存在する１６個の共通制御チャネルから制御情報の送受信に用いる共通制御チャネルを周波数ホッピング方式によって定期的に選択し、その選択した共通制御チャネルが未使用である場合に、データ通信用に用いるデータチャネルを選択するためのデータチャネル選択情報を移動端末へ定期的に送信する。
【０００４】
そして、アクセスポイントは、移動端末がデータチャネル選択情報を用いて決定したデータチャネルを移動端末から定期的に受信してデータチャネルを共有する。
【０００５】
その後、アクセスポイントおよび移動端末は、そのデータチャネルを用いて時分割でデータフレームを送受信する。
【先行技術文献】
【非特許文献】
【０００６】
【非特許文献１】矢野  一人、鄭  吉秀、鈴木  康夫、塚本  悟司、太郎丸  真、上羽  正純，“ＩＳＭバンドにおける高効率周波数共用に向けたダイナミックスペクトラムアクセスシステムの物理チャネル構成に関する検討，”ＩＥＩＣＥ  Ｔｅｃｈｎｉｃａｌ  Ｒｅｐｏｒｔ  ＳＲ２００８−９８（２００９−０３）．
【発明の概要】
【発明が解決しようとする課題】
【０００７】
しかし、従来の無線通信システムにおいては、複数のアクセスポイントが近接して配置された場合、各セルのチャネル選択情報は、ほぼ同一の内容となってしまうため、優先順位の低いセルのデータ伝送のスループットが低下するという問題がある。
【０００８】
そこで、この発明は、かかる問題を解決するためになされたものであり、その目的は、優先順位の低いセルにおけるデータ伝送のスループットを向上可能な無線通信システムを提供することである。
【０００９】
また、この発明の別の目的は、優先順位の低いセルにおけるデータ伝送のスループットを向上可能な無線通信システムに用いられる無線装置を提供することである。
【課題を解決するための手段】
【００１０】
この発明によれば、無線通信システムは、各々が一つの基地局によって管理される複数のセルが存在するとともに、異なる複数の無線システムが混在した無線通信環境において無線通信を行なう無線通信システムであって、第１および第２の無線装置を備える。第１の無線装置は、複数の無線システムが使用している周波数帯域から周波数ホッピング方式によって第１の共通制御チャネルを定期的に選択し、その選択した第１の共通制御チャネル上でキャリアセンスを行ない、選択した第１の共通制御チャネルが未使用である場合に、選択した第１の共通制御チャネルを用いてデータ通信用に用いられるデータチャネルを選択するための第１のデータチャネル選択情報を定期的に送信する。第２の無線装置は、第１の無線装置が管理する第１のセルに隣接する第２のセルを管理するとともに、複数の無線システムが使用している周波数帯域から周波数ホッピング方式によって第２の共通制御チャネルを定期的に選択し、その選択した第２の共通制御チャネル上でキャリアセンスを行ない、選択した第２の共通制御チャネルが未使用である場合に、選択した第２の共通制御チャネルを用いてデータ通信用に用いられるデータチャネルを選択するための第２のデータチャネル選択情報を定期的に送信する。そして、第１の無線装置は、第２の無線装置から第２の共通制御チャネルを用いて第２のデータチャネル選択情報を必要に応じて受信するとともに、その受信した第２のデータチャネル選択情報と第１のデータチャネル選択情報とに基づいて、重複するデータチャネルを決定し、重複するデータチャネルの中から第２の無線装置に対して開放を要求する開放要求データチャネルを決定し、その決定した開放要求データチャネルを第２の共通制御チャネルを用いて第２の無線装置へ送信する。
【００１１】
好ましくは、第２の無線装置は、開放要求データチャネルを第２の共通制御チャネルを用いて第１の無線装置から受信すると、第２のデータチャネル選択情報に基づいて第１の無線装置に対して開放するデータチャネルを決定するとともに、第２のデータチャネル選択情報から開放するデータチャネルを削除し、開放するデータチャネルを第２の共通制御チャネルを用いて第１の無線装置へ送信する。
【００１２】
好ましくは、第１の無線装置は、開放されたデータチャネルを第２の無線装置から第２の共通制御チャネルを用いて受信すると、第２の無線装置が使用を予定しているデータチャネルを第１のデータチャネル選択情報から削除するとともに開放されたデータチャネルを第１のデータチャネルに加える。
【００１３】
また、この発明によれば、無線装置は、各々が一つの基地局によって管理される複数のセルが存在するとともに、異なる複数の無線システムが混在した無線通信環境において無線通信を行なう無線通信システムに用いられる無線装置であって、選択手段と、送信手段と、受信手段と、チャネル決定手段とを備える。選択手段は、複数の無線システムが使用している周波数帯域から周波数ホッピング方式によって共通制御チャネルを定期的に選択する。送信手段は、周波数帯域における受信信号強度情報に基づいて、選択手段によって選択された第１の共通制御チャネル上でキャリアセンスを行ない、選択された第１の共通制御チャネルが未使用である場合に第１の共通制御チャネルを用いてデータ通信用に用いられるデータチャネルを選択するための第１のデータチャネル選択情報を定期的に送信する。受信手段は、周波数帯域における受信信号強度を測定して第１の共通制御チャネルに関する受信信号強度情報を生成し、その生成した受信信号強度情報を送信手段へ出力するとともに、当該無線装置が管理する第１のセルに隣接する第２のセルを管理する他の無線装置がデータ通信用に用いる第２のデータチャネル選択情報を第２の共通制御チャネルを用いて必要に応じて他の無線装置から受信する。チャネル決定手段は、第１および第２のデータチャネル選択情報に基づいて、重複するデータチャネルを決定するとともに、重複するデータチャネルの中から他の無線装置に対して開放を要求する開放要求データチャネルを決定する。そして、送信手段は、更に、決定された開放要求データチャネルを第２の共通制御チャネルを用いて他の無線装置へ送信する。
【００１４】
好ましくは、チャネル決定手段は、開放要求データチャネルを受信手段が第１の共通制御チャネルを用いて他の無線装置から受信すると、第１のデータチャネル選択情報に基づいて他の無線装置に対して開放するデータチャネルを決定するとともに、第１のデータチャネル選択情報から開放するデータチャネルを削除し、開放するデータチャネルを第１の共通制御チャネルを用いて他の無線装置へ送信する。
【００１５】
好ましくは、送信手段は、開放されたデータチャネルを受信手段が他の無線装置から第２の共通制御チャネルを用いて受信すると、他の無線装置が使用を予定しているデータチャネルを第１のデータチャネル選択情報から削除するとともに開放されたデータチャネルを第１のデータチャネル選択情報に加える。
【発明の効果】
【００１６】
この発明の実施の形態による無線通信システムにおいては、第１の無線装置は、第２の無線装置よりも遅れてオンされる等の原因によって、優先順位が低い場合、第２の無線装置の移動端末として開放要求データチャネルを第２の無線装置へ送信し、第２の無線装置は、自己が使用を予定しているチャネルの一部を第１の無線装置が使用できるように調整する。
【００１７】
従って、第１の無線装置がデータチャネルを使用できるようになり、第１の無線装置が管理するセル内におけるデータ伝送のスループットを向上できる。
【図面の簡単な説明】
【００１８】
【図１】この発明の実施の形態による無線通信システムの概略図である。
【図２】図１に示すアクセスポイントの構成図である。
【図３】図１に示す移動端末の構成図である。
【図４】この発明の実施の形態におけるチャネルの構成図である。
【図５】共通制御チャネルのタイムフレームの構成図である。
【図６】制御情報フレームの構成図である。
【図７】共通制御チャネルのホッピングパターンを示す図である。
【図８】アクセスポイントと移動端末との間でデータフレームの通信用に用いるデータチャネルを共有する方法を説明するための図である。
【図９】データチャネル選択情報の例を示す図である。
【図１０】無線通信システムの１つのセルに属するアクセスポイントおよび移動端末の動作を説明するためのフローチャートである。
【図１１】アクセスポイント間におけるデータチャネルの決定を説明するためのフローチャートである。
【発明を実施するための形態】
【００１９】
本発明の実施の形態について図面を参照しながら詳細に説明する。なお、図中同一または相当部分には同一符号を付してその説明は繰返さない。
【００２０】
図１は、この発明の実施の形態による無線通信システムの概略図である。この発明の実施の形態による無線通信システム１００は、アクセスポイント（ＡＰ：Ａｃｃｅｓｓ  Ｐｏｉｎｔ）１〜ｉ（ｉは、２以上の整数）と、移動端末（ＭＳ：Ｍｏｂｉｌｅ  Ｓｔａｔｉｏｎ）１１〜１ｉとを備える。
【００２１】
アクセスポイント１および移動端末１１は、セルＣ１内に配置される。アクセスポイント２および移動端末１２は、セルＣ２内に配置される。以下、同様にして、アクセスポイントｉおよび移動端末１ｉは、セルＣｉ内に配置される。
【００２２】
そして、図１においては、図示されていないが、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式によって無線通信を行なうアクセスポイントおよび移動端末が存在し、ＦＨ−ＳＳ（Ｆｒｅｑｕｅｎｃｙ−Ｈｏｐｐｉｎｇ  Ｓｐｒｅａｄ  Ｓｐｅｃｔｒｕｍ）方式によって無線通信を行なうアクセスポイントおよび移動端末も存在する。
【００２３】
従って、アクセスポイント１〜ｉおよび移動端末１１〜１ｉは、ＣＳＭＡ／ＣＡ系の無線システムおよびＦＨ−ＳＳ系の無線システム等の複数の無線システムが混在および共存する無線通信環境において、後述する方法によって、時間と共に変化する周波数資源の利用状況を精度良く把握し、適切な送信周波数（周波数チャネル）を選択してデータを各セルＣ１〜Ｃｉ内で伝送する。即ち、アクセスポイント１〜ｉおよび移動端末１１〜１ｉは、ＤＳＡ（Ｄｙｎａｍｉｃ  Ｓｐｅｃｔｒｕｍ  Ａｃｃｅｓｓ）システムによってデータを各セルＣ１〜Ｃｉ内で伝送する。
【００２４】
また、アクセスポイント１〜ｉの各々は、自己が管理するセルＣ１〜Ｃｉに隣接するセルを管理する隣接アクセスポイントよりも遅れてオンされる等の原因によって、隣接アクセスポイントよりも優先順位が低くなった場合、後述する方法によって、自己がデータ通信用に用いるデータチャネルを決定する。
【００２５】
なお、図１においては、各セルＣ１〜Ｃｉ内には、１個のアクセスポイントと１個の移動端末のみが図示されているが、実際には、各セルＣ１〜Ｃｉ内には、複数の移動端末が存在する。
【００２６】
図２は、図１に示すアクセスポイント１の構成図である。アクセスポイント１は、アンテナ１０１と、送信手段１０２と、受信手段１０３と、チャネル決定手段１０４と、選択手段１０５と、ホッピングテーブル１０６と、同期確立手段１０７とを含む。
【００２７】
アンテナ１０１は、セルＣ１に隣接するセルＣ２，Ｃ３のアクセスポイント２，３または移動端末１１から制御情報フレームまたはデータフレームを受信し、その受信した制御情報フレームまたはデータフレームを受信手段１０３へ出力する。また、アンテナ１０１は、送信手段１０２から制御情報フレームまたはデータフレームを受け、その受けた制御情報フレームまたはデータフレームをアクセスポイント２，３または移動端末１１へ送信する。
【００２８】
送信手段１０２は、同期確立手段１０７から受けるクロックに同期して動作する。そして、送信手段１０２は、アクセスポイント１の電源がオンされると、後述する８０個のチャネルＣＨ１〜ＣＨ８０の各々に関して受信手段１０３から受信信号強度情報を受け、その受けた受信信号強度情報に基づきキャリアセンスを行ない、そのキャリアセンスの結果を保持するとともに選択手段１０５へ出力する。その後、送信手段１０２は、常時、受信手段１０３から受信信号強度情報を受け、その受けた受信信号強度情報に基づきチャネルＣＨ１〜ＣＨ８０の各々におけるキャリアセンスを行ない、各チャネルＣＨ１〜ＣＨ８０の使用状況を検知して保持する。
【００２９】
また、送信手段１０２は、後述するタイムフレーム単位で、制御情報フレームの送信に用いる共通制御チャネルを選択手段１０５から受ける。この制御情報フレームは、アクセスポイント２，３または移動端末１１がデータの通信用に用いるデータチャネルを示すデータチャネル選択情報を含むフレームである。そして、送信手段１０２は、受信手段１０３から受けた受信信号強度情報に基づいて共通制御チャネルでキャリアセンスし、その共通制御チャネルが他のアクセスポイントまたは移動端末によって使用されていない場合、データチャネル選択情報を含む制御情報フレームを生成し、その生成した制御情報フレームを、そのタイムフレーム内で時分割方式によってアクセスポイント２，３および移動端末１１へ送信する。即ち、送信手段１０２は、ＣＳＭＡ／ＣＡ方式およびＴＤＭＡ（Ｔｉｍｅ  Ｄｉｖｉｓｉｏｎ  Ｍｕｌｔｉｐｌｅ  Ａｃｃｅｓｓ）方式によって制御情報フレームをアクセスポイント２，３および移動端末１１へ送信する。そして、送信手段１０２は、データチャネル選択情報をチャネル決定手段１０４へ出力する。
【００３０】
一方、送信手段１０２は、その共通制御チャネルが他のアクセスポイントまたは移動端末によって使用されている場合、制御情報フレームのアクセスポイント２，３および移動端末１１への送信を停止し、次のタイムフレーム内で制御情報フレームのアクセスポイント２，３および移動端末１１への送信を試行する。
【００３１】
更に、送信手段１０２は、移動端末１１がデータ通信用に使用予定であるデータチャネルを受信手段１０３から受ける。そして、送信手段１０２は、データフレームを生成するとともに、受信手段１０３から受けた受信信号強度情報に基づいて、受信手段１０３から受けたデータチャネルでキャリアセンスし、未使用であるデータチャネルを用いてデータフレームを時分割方式で移動端末１１へ送信する。
【００３２】
更に、送信手段１０２は、開放を要求する開放要求データチャネルをチャネル決定手段１０４から受けると、その受けた開放要求データチャネルを含む制御情報フレームを生成し、その生成した制御情報フレームをアンテナ１０１を介して送信する。
【００３３】
更に、送信手段１０２は、開放されたデータチャネルをチャネル決定手段１０４から受けると、その受けたデータチャネルを含む制御情報フレームをアンテナ１０１を介して送信する。
【００３４】
受信手段１０３は、アンテナ１０１を介して８０個のチャネルＣＨ１〜ＣＨ８０の各々に関する受信信号強度情報を常時測定し、その受信信号強度情報を送信手段１０２へ出力する。また、受信手段１０３は、アンテナ１０１から制御情報フレームまたはデータフレームを受ける。そして、受信手段１０３は、アクセスポイント２，３または移動端末１１がデータ通信用に使用予定であるデータチャネルを制御情報フレームから取り出し、その取り出したデータチャネルを送信手段１０２およびチャネル決定手段１０４へ出力する。
【００３５】
また、受信手段１０３は、データフレームをアンテナ１０１を介して移動端末１１から受信し、その受信したデータフレームを送信手段１０２へ出力する。
【００３６】
チャネル決定手段１０４は、同期確立手段１０７から受けるクロックに同期して動作する。そして、チャネル決定手段１０４は、アクセスポイント１がデータ通信用に用いるデータチャネルを選択するためのデータチャネル選択情報ＤＣＳＩ１（＝チャネルＣＨ１〜ＣＨ８０の使用状況を示すマップ）を送信手段１０２から受け、他のアクセスポイント２，３がデータ通信用に用いるデータチャネルを選択するためのデータチャネル選択情報ＤＣＳＩ２（＝チャネルＣＨ１〜ＣＨ８０の使用状況を示すマップ）を受信手段１０３から受ける。
【００３７】
その後、チャネル決定手段１０４は、２つのデータチャネル選択情報ＤＣＳＩ１，ＤＣＳＩ２に基づいて、重複するデータチャネルを決定し、その決定した重複するデータチャネルの中から他のアクセスポイント２，３に対して開放を要求する開放要求データチャネルを決定し、その決定した開放要求データチャネルを送信手段１０２へ出力する。
【００３８】
また、チャネル決定手段１０４は、開放要求データチャネルを受信手段１０３から受けると、開放要求データチャネルと、データチャネル選択情報ＤＣＳＩ１とに基づいて、開放するデータチャネルを決定し、その決定した開放するデータチャネルを送信手段１０２へ出力する。そして、チャネル決定手段１０４は、その開放したデータチャネルをデータチャネル選択情報ＤＣＳＩ１から削除する。
【００３９】
更に、チャネル決定手段１０４は、開放されたデータチャネルを受信手段１０３から受けると、他のアクセスポイント２，３が使用を予定しているデータチャネルをデータチャネル選択情報ＤＣＳＩ１から削除するとともに、開放されたデータチャネルをデータチャネル選択情報ＤＣＳＩ１に追加する。
【００４０】
選択手段１０５は、同期確立手段１０７から受けるクロックに同期して動作する。そして、選択手段１０５は、チャネルＣＨ１〜ＣＨ８０の各々におけるキャリアセンスの結果を送信手段１０２から受け、その受けたキャリアセンスの結果に基づいて、他のアクセスポイントが使用している割合が高い共通制御チャネルのグループを選択し、その選択したグループに含まれる任意の１つの共通制御チャネルを初期の共通制御チャネルとして選択する。
【００４１】
その後、選択手段１０５は、タイムフレーム単位で、ホッピングテーブル１０６を参照して、初期の共通制御チャネルをホッピングさせ、そのホッピングさせた共通制御チャネルを送信手段１０２へ出力する。
【００４２】
更に、その後、選択手段１０５は、次のタイムフレームにおいて、ホッピングテーブル１０６を参照して、共通制御チャネルをホッピングさせ、そのホッピングさせた共通制御チャネルを送信手段１０２へ出力する。
【００４３】
ホッピングテーブル１０６は、共通制御チャネルのホッピングパターンを格納する。同期確立手段１０７は、例えば、ＧＰＳ（Ｇｌｏｂａｌ  Ｐｏｓｉｔｉｏｎｉｎｇ  Ｓｙｓｔｅｍ）衛星（図示せず）からＧＰＳ信号を受信し、その受信したＧＰＳ信号に基づいてクロックを生成する。そして、同期確立手段１０７は、その生成したクロックを送信手段１０２、チャネル決定手段１０４および選択手段１０５へ出力する。
【００４４】
なお、図１に示すアクセスポイント２〜ｉの各々も、図２に示すアクセスポイント１と同じ構成からなる。
【００４５】
図３は、図１に示す移動端末１１の構成図である。移動端末１１は、アンテナ１１１と、送信手段１１２と、受信手段１１３と、チャネル決定手段１１４と、同期確立手段１１５とを含む。
【００４６】
アンテナ１１１は、アクセスポイント１およびアクセスポイント１以外のアクセスポイントからデータチャネル選択情報を含む制御情報フレームを受信し、その受信した制御情報フレームを受信手段１１３へ出力する。また、アンテナ１１１は、制御情報フレームまたはデータフレームを送信手段１１２から受け、その受けた制御情報フレームまたはデータフレームをアクセスポイント１へ送信する。
【００４７】
送信手段１１２は、同期確立手段１１５から受けたクロックに同期して動作する。そして、送信手段１１２は、受信手段１１３から受信信号強度情報を受け、その受けた受信信号強度に基づいてチャネルＣＨ１〜ＣＨ８０の各々でキャリアセンスし、そのキャリアセンスの結果を保持するとともにチャネル決定手段１１４へ出力する。
【００４８】
また、送信手段１１２は、移動端末１１がデータ通信用に用いるデータチャネルをチャネル決定手段１１４から受け、アクセスポイント１が制御情報フレームの送信に用いている共通制御チャネルを受信手段１１３から受ける。
【００４９】
そうすると、送信手段１１２は、その受けたデータチャネルを示すデータチャネル選択情報を含む制御情報フレームを生成し、その生成した制御情報フレームを共通制御チャネルでアクセスポイント１へ送信する。
【００５０】
更に、送信手段１１２は、データフレームを生成する。そして、送信手段１１２は、受信手段１１３から受けた受信信号強度情報に基づいてデータの通信用に使用予定であるデータチャネルでキャリアセンスし、未使用のデータチャネルを用いて、その生成したデータフレームを時分割方式でアクセスポイント１へ送信する。
【００５１】
受信手段１１３は、アンテナ１１１を介して８０個のチャネルＣＨ１〜ＣＨ８０の各々に関する受信信号強度情報を常時測定し、その受信信号強度情報を送信手段１１２へ出力する。
【００５２】
また、受信手段１１３は、移動端末１１が同時に受信可能なチャネル数（即ち、移動端末１１の受信帯域幅）でアンテナ１１１を介してフレームの到来検出を行ない、アクセスポイント１またはアクセスポイント１以外のアクセスポイントからデータチャネル選択情報を含む制御情報フレームを受信し、その制御情報フレームを受信したときのチャネルを共通制御チャネルとして検出する。そして、受信手段１１３は、その検出した共通制御チャネルを送信手段１１２へ出力するとともに、その受信した制御情報フレームをチャネル決定手段１１４へ出力する。
【００５３】
更に、受信手段１１３は、移動端末１１の受信帯域幅でフレームの到来検出を行ない、データフレームを受信し、その受信したデータフレームを送信手段１１２へ出力する。
【００５４】
チャネル決定手段１１４は、同期確立手段１１５から受けたクロックに同期して動作する。そして、チャネル決定手段１１４は、データチャネル選択情報を含む制御情報フレームを受信手段１１３から受け、各チャネルＣＨ１〜ＣＨ８０におけるキャリアセンスの結果を送信手段１１２から受ける。そうすると、チャネル決定手段１１４は、データチャネル選択情報および各チャネルＣＨ１〜ＣＨ８０におけるキャリアセンスの結果に基づいて、移動端末１１がデータ通信用に用いるデータチャネルを決定し、その決定したデータチャネルを送信手段１１２へ出力する。
【００５５】
同期確立手段１１５は、上述した同期確立手段１０７と同じ方法によってクロックを生成し、その生成したクロックを送信手段１１２およびチャネル決定手段１１４へ出力する。
【００５６】
なお、図１に示す移動端末１２〜１ｉの各々も、図３に示す移動端末１１と同じ構成からなる。
【００５７】
図４は、この発明の実施の形態におけるチャネルの構成図である。この発明の実施の形態においては、２４０２ＭＨｚ〜２４８１ＭＨｚの周波数帯域が用いられる。そして、チャネルＣＨ１〜ＣＨ８０は、それぞれ、２４０２ＭＨｚ〜２４８１ＭＨｚの中心周波数からなり、１ＭＨｚの信号帯域幅を有する。
【００５８】
また、共通制御チャネルＣＣＨ１〜ＣＣＨ１６は、チャネル番号の末尾が“１”または“６”となる１６個のチャネルからなる。なお、これらの周波数は、当該周波数帯において運用されるＩＥＥＥ８０２．１１の無線ＬＡＮ（Ｌｏｃａｌ  Ａｒｅａ  Ｎｅｔｗｏｒｋ）が使用する送信周波数と同一である（但し、共通制御チャネルＣＣＨ１，ＣＣＨ２，ＣＣＨ１６の周波数を除く）。
【００５９】
８０個のチャネルＣＨ１〜ＣＨ８０のうち、１６個の共通制御チャネルＣＣＨ１〜ＣＣＨ１６は、制御情報フレームの送信に優先的に用いられ、残りの６４個のチャネルは、データフレームの送信に用いられる。
【００６０】
なお、制御情報フレームの送信に用いられていない共通制御チャネルは、一時的にデータフレームの送信に利用可能である。
【００６１】
図５は、共通制御チャネルのタイムフレームの構成図である。タイムフレームは、５ｍｓの長さを有する。そして、タイムフレームは、センシング期間と、４個のダウンリンクＤＬ１〜ＤＬ４と、４個のアップリンクＵＬ１〜ＵＬ４とからなる。
【００６２】
４個のダウンリンクＤＬ１〜ＤＬ４および４個のアップリンクＵＬ１〜ＵＬ４の各々は、スロットを構成する。
【００６３】
センシング期間は、２００μｓの長さを有し、４個のダウンリンクＤＬ１〜ＤＬ４および４個のアップリンクＵＬ１〜ＵＬ４の各々は、６００μｓの長さを有する。
【００６４】
センシング期間の長さが２００μｓに設定されるのは、次の理由による。ＩＥＥＥ８０２．１１ａまたはＩＥＥＥ８０２．１１ｇのＥＲＰ−ＯＦＤＭにおいて、初回のデータフレームの送信を開始するために必要な最大待機時間（ＤＩＦＳ＋コンテンションスロットの長さ×ＣＷｍｉｎ）である１６９μｓよりもセンシング期間の長さを長くすることによって、ＤＳＡシステムと同一周波数帯域を共用する無線ＬＡＮの送信機会を可能な限り奪わないようにするためである。
【００６５】
センシング期間は、各周波数チャネルＣＨ１〜ＣＨ８０における利用状況の観測に用いられる。
【００６６】
また、４個のダウンリンクＤＬ１〜ＤＬ４および４個のアップリンクＵＬ１〜ＵＬ４の各々は、制御情報の伝送に用いられる。
【００６７】
より具体的には、３個のアップリンクＵＬ１〜ＵＬ３および３個のダウンリンクＤＬ１〜ＤＬ３は、次のタイムフレームにおけるデータ送信ノードおよび受信ノードの指定と、その際に使用される周波数チャネルの選択情報の交換に用いられる。
【００６８】
この場合、各セルＣ１〜Ｃｉは、アップリンクおよびダウンリンクの両方において同一の共通制御チャネル上の同一番号のスロットをそれぞれ選択して使用する。従って、最大で、４８セル（＝１６×３）が近傍で同時に運用可能である。
【００６９】
また、セルＣ１〜Ｃｉの各々は、タイムフレームごとに使用する共通制御チャネルを後述するホッピングパターンに従って変更し、同時に使用するスロット番号をインクリメントする。これは、被干渉発生確率を周波数方向および時間方向において平均化することによって、一部の周波数チャネルが他の無線システムによって占有されている場合においても、セル間で制御情報の送信機会の公平性を確保するためである。
【００７０】
アップリンクの第４スロットであるＵＬ４は、データを伝送するために選択されたチャネルを示すチャネル選択情報以外の制御情報（例えば、移動端末からアクセスポイントへの位置登録要求およびコネクション確立要求等）の伝送に用いられる。
【００７１】
この場合の多元接続は、同一の共通制御チャネルを使用する各セルＣ１〜Ｃｉ内におけるランダムアクセスとする。
【００７２】
また、ダウンリンクの第４スロットであるＤＬ４は、複数個（２０〜３０個程度）のタイムフレームによってスーパータイムフレームを構成し、報知チャネル、位置登録確認、ページングおよびコネクション確立確認等の伝送に用いられる。その際、同一の共通制御チャネルを用いるセル間の多元接続は、タイムフレームを単位とするＴＤＭＡによって実行される。
【００７３】
図６は、制御情報フレームの構成図である。制御情報フレームＣＴＬＦは、５４４μｓの長さを有し、プリアンブルと、物理ヘッダと、データとからなる。
【００７４】
プリアンブルは、２０４．８μｓの長さを有し、制御情報フレームＣＴＬＦの先頭に設定される。物理ヘッダは、４１．６μｓの長さを有し、プリアンブルに続いて設定される。データは、２９７．６μｓの長さを有し、物理ヘッダに続いて制御情報フレームＣＴＬＦの最後部に設定される。
【００７５】
ガードタイム１は、２４μｓの長さを有し、制御情報フレームＣＴＬＦの前に設定される。ガードタイム２は、３２μｓの長さを有し、制御情報フレームＣＴＬＦの後に設定される。
【００７６】
そして、ガードタイム１，２および制御情報フレームＣＴＬＦの全長は、１個のスロットの長さに等しい６００μｓに設定されている。
【００７７】
プリアンブルは、８個のショートプリアンブルＳＰ（Ｓｈｏｒｔ  Ｐｒｅａｍｂｌｅ）と、２個のロングプリアンブル（Ｌｏｎｇ  Ｐｒｅａｍｂｌｅ）とからなる。
【００７８】
８個のショートプリアンブルＳＰの各々は、８シンボルの長さを有し、２個のロングプリアンブルの各々は、３２シンボルの長さを有する。その結果、プリアンブルは、１２８シンボル（＝２０４．８μｓ）の長さを有する。
【００７９】
ショートプリアンブルＳＰは、自動利得制御ＡＧＣ（Ａｕｔｏ  Ｇａｉｎ  Ｃｏｎｔｒｏｌ）の調整および周波数オフセットの補償に用いられる。なお、本フォーマットにおける最大許容周波数オフセットは、７．８ｐｐｍに設定される。
【００８０】
ロングプリアンブルは、残留周波数オフセットの補償、受信タイミング同期、および伝搬路の推定に用いられる。
【００８１】
物理ヘッダは、レートと、予約と、長さと、パリティと、テイルとからなる。レートは、６ビットの長さを有し、予約は、１ビットの長さを有し、長さは、１２ビットの長さを有し、パリティは、１ビットの長さを有し、テイルは、６ビットの長さを有する。その結果、物理ヘッダは、２６シンボル（＝４１．６μｓ）の長さを有する。
【００８２】
レートは、変調方式、符号化率および送信アンテナ数を示す。長さは、シンボル長（＝１．６μｓ）を単位としてデータ部の長さを示す。テイルは、既知のビットである“０”が設定される。
【００８３】
なお、長さが１２ビットの長さを有するのは、１２ビットの長さがタイムフレームの長さ（＝５ｍｓ）の表現に必要な最小ビット数であるからである。
【００８４】
データは、サービスと、タイプと、サブタイプと、ＡＰ−ＩＤと、Ｔｘ−ＩＤと、Ｒｘ−ＩＤと、Ｔｘ−ＢＷと、Ｒｘ−ＢＷと、マップと、ＣＲＣと、テイルとからなる。
【００８５】
サービスは、１６ビットの長さを有し、タイプは、８ビットの長さを有し、サブタイプは、８ビットの長さを有し、ＡＰ−ＩＤは、１６ビットの長さを有する。
【００８６】
Ｔｘ−ＩＤおよびＲｘ−ＩＤの各々は、８ビットの長さを有する。Ｔｘ−ＢＷおよびＲｘ−ＢＷの各々は、２ビットの長さを有する。マップは、８０ビットの長さを有し、ＣＲＣは、３２ビットの長さを有し、テイルは、６ビットの長さを有する。
【００８７】
その結果、データは、１８６シンボル（＝２９７．６μｓ）の長さを有する。
【００８８】
サービスは、デスクランブル用系列および予備ビットからなる。タイプおよびサブタイプは、フレームの種類を指定する。ＡＰ−ＩＤは、基地局（セル）の番号を示す。Ｔｘ−ＩＤは、送信ノードのセル内ＩＤを示す。Ｒｘ−ＩＤは、受信ノードのセル内ＩＤを示す。
【００８９】
Ｔｘ−ＢＷは、送信ノードの受信帯域幅を示す。Ｒｘ−ＢＷは、受信ノードの受信帯域幅を示す。マップは、使用周波数チャネルの選択状況を示す。ＣＲＣは、ＣＲＣ−３２パリティビットからなる。テイルは、チャネル復号器のトレリス終結用系列からなる。
【００９０】
マップは、チャネルＣＨ１〜ＣＨ８０に対応付けて“１”または“０”を格納した構造からなる。そして、“１”は、対応するチャネルが使用されていることを表し、“０”は、対応するチャネルが未使用であることを表す。
【００９１】
図７は、共通制御チャネルのホッピングパターンを示す図である。無線通信システム１００においては、セルＣ１〜Ｃｉ間で同期が保持されている。従って、共通制御チャネルの全ホッピングパターンは、互いに衝突が発生しないように設計される。
【００９２】
また、ＤＳＡシステムを用いる無線通信システム１００においては、データ伝送に際して複数のセル内において同時に動的チャネル選択が行なわれる。従って、近傍に位置するセル内で用いられる共通制御チャネルは、セル間で情報を共有する観点から周波数軸上で近接していることが望ましい。
【００９３】
そこで、無線通信システム１００における共通制御チャネルのホッピングパターンｆｈｏｐ（ｎ，ｊ）（ｎおよびｊは正の整数）は、次式によって表される。
【００９４】
【数１】
0005401725.tif 000002
【００９５】
式（１）において、［ｘ］は、ｘを超えない最大の整数を表す。
【００９６】
式（１）によって表されるホッピングパターンを図示したものが図７に示すホッピングパターンである。
【００９７】
ホッピングパターンの種類および周期は、共通制御チャネルの個数と同じ“１６”であり、各ホッピングパターンは、全ての共通制御チャネルを一周期内に一度ずつ使用する。
【００９８】
１６個の共通制御チャネルは、２個の周波数ブロック１，２に分割される。また、周波数ブロック１は、２個の周波数サブブロック１，２に分割され、周波数ブロック２は、２個の周波数サブブロック３，４に分割される。
【００９９】
ホッピングパターンに基づき使用する共通制御チャネルをホッピングさせると、２個の周波数ブロック１，２が交互に使用され、２個の周波数サブブロック１，２が交互に使用され、２個の周波数サブブロック３，４が交互に使用される。
【０１００】
例えば、第１ホッピングパターンｆｈｏｐ（１，ｊ）を用いた場合を例にすると、選択される共通制御チャネルＣＣＨは、第１ホップ（ｊ＝１）において、周波数ブロック１の周波数サブブロック１に属している。そして、第２ホップ目で選択される共通制御チャネルＣＣＨは、周波数ブロック２の周波数サブブロック３に属しており、第３ホップ目では周波数ブロック１の周波数サブブロック２に、第４ホップ目では周波数ブロック２の周波数サブブロック４にそれぞれ属している。
【０１０１】
その結果、使用する共通制御チャネルＣＣＨとしては、周波数ブロック１，２が交互に選択され、かつ、周波数ブロック１内では周波数サブブロック１，２が交互に選択され、周波数ブロック２内では周波数サブブロック３，４が交互に選択されるようにホッピングが行なわれる。
【０１０２】
他のホッピングパターンｆｈｏｐ（２，ｊ）〜ｆｈｏｐ（１６，ｊ）を用いた場合についても同じである。
【０１０３】
式（１）において、右辺第１項は、周波数ブロック１，２の選択を表し、右辺第２項は、周波数サブブロック１，２および周波数サブブロック３，４の選択を表し、右辺第３項は、周波数サブブロック１〜４内の位置を表す。
【０１０４】
第１ホッピングパターンｆｈｏｐ（１，ｊ）に基づき使用する共通制御チャネルＣＣＨを選択する場合、第１ホップ目では共通制御チャネルＣＣＨ１を選択する。この共通制御チャネルＣＣＨ１は、周波数ブロック１の周波数サブブロック１内の１番目の位置に存在する。そして、第２ホップ目では、周波数ブロック２の周波数サブブロック３内の１番目の位置を選択する。この周波数サブブロック３内の１番目の位置は、共通制御チャネルＣＣＨ９の位置であるので、使用する共通制御チャネルＣＣＨは、第２ホップ目で共通制御チャネルＣＣＨ９へホッピングしたことになる。
【０１０５】
以下、同様にして、使用する共通制御チャネルＣＣＨは、第３ホップ目で共通制御チャネルＣＣＨ５へホッピングし、第４ホップ目で共通制御チャネルＣＣＨ１３へホッピングし、第５ホップ目で共通制御チャネルＣＣＨ２へホッピングし、第６ホップ目で共通制御チャネルＣＣＨ１０へホッピングし、第７ホップ目で共通制御チャネルＣＣＨ６へホッピングし、第８ホップ目で共通制御チャネルＣＣＨ１４へホッピングし、第９ホップ目で共通制御チャネルＣＣＨ３へホッピングし、第１０ホップ目で共通制御チャネルＣＣＨ１１へホッピングし、第１１ホップ目で共通制御チャネルＣＣＨ７へホッピングし、第１２ホップ目で共通制御チャネルＣＣＨ１５へホッピングし、第１３ホップ目で共通制御チャネルＣＣＨ４へホッピングし、第１４ホップ目で共通制御チャネルＣＣＨ１２へホッピングし、第１５ホップ目で共通制御チャネルＣＣＨ８へホッピングし、第１６ホップ目で共通制御チャネルＣＣＨ１６へホッピングする。
【０１０６】
その後、上述した第１ホップ目から第１６ホップ目が繰返し実行される。
【０１０７】
その結果、使用する共通制御チャネルＣＣＨは、一周期（第１ホップ目から第１６ホップ目）で１６個の共通制御チャネルＣＣＨ１〜ＣＣＨ１６の全てにホッピングされる。
【０１０８】
他のホッピングパターンｆｈｏｐ（２，ｊ）〜ｆｈｏｐ（１６，ｊ）を用いた場合についても同様である。
【０１０９】
また、ホッピングパターンは、４個の共通制御チャネルが番号順にグループ化され、各グループは、各時間において単一の周波数サブブロックを使用する。
【０１１０】
更に、ホッピングパターンは、時間方向にも、４ブロックに分割され、各時間ブロックは、互いに周波数サブブロック内で巡回シフトを行なったものに相当する。即ち、同一グループに属する各ホッピングパターンは、互いに巡回シフトの関係にある。
【０１１１】
更に、周波数サブブロック１〜４の各々に属する共通制御チャネルの個数は、アクセスポイント１〜ｉおよび移動端末１１〜１ｉが有する受信帯域幅のうち、最も狭い受信帯域幅に従って決定される。また、周波数ブロック１，２の各々に属する共通制御チャネルの個数は、アクセスポイント１〜ｉおよび移動端末１１〜１ｉが有する受信帯域幅のうち、第２番目に狭い受信帯域幅に従って決定される。そして、周波数ブロック１，２の各々に属する共通制御チャネルの個数は、周波数サブブロック１〜４の各々に属する共通制御チャネルの個数の整数倍であり、周波数ブロック１，２の全体に属する共通制御チャネルの個数は、周波数ブロック１，２の各々に属する共通制御チャネルの個数の整数倍である。
【０１１２】
図７に示すホッピングパターンにおいては、周波数サブブロック１〜４の各々に属する共通制御チャネルの個数は、２０ＭＨｚの受信帯域幅に従って４個と決定され、周波数ブロック１，２の各々に属する共通制御チャネルの個数は、４０ＭＨｚの受信帯域幅に従って８個と決定されている。そして、周波数ブロック１，２の各々に属する共通制御チャネルの個数（＝８個）は、周波数サブブロック１〜４の各々に属する共通制御チャネルの個数（＝４個）の２倍であり、周波数ブロック１，２の全体に属する共通制御チャネルの個数（＝１６個）は、周波数ブロック１，２の各々に属する共通制御チャネルの個数（＝８個）の２倍である。
【０１１３】
上述したホッピングパターンの特徴から、同一グループに属するホッピングパターンを使用するセルの制御情報は、受信帯域幅が２０ＭＨｚ以上の無線装置を用いれば全て同時に受信可能である。１つのグループに属する４個の共通制御チャネルが存在する周波数帯幅は、２０ＭＨｚであるからである。
【０１１４】
従って、近接セルのホッピングパターンが同一グループに属するように設定すれば、異なるセル間における制御情報の共有が比較的に容易に行なえる。また、近接に位置する他の無線システムのバックオフ処理の阻害も軽減され、これらのシステムのスループットの低下を抑制できる。
【０１１５】
無線通信システム１００においては、アクセスポイント１〜ｉおよび移動端末１１〜１ｉは、相互に異なる受信帯域幅を有しているが、少なくとも２０ＭＨｚの受信帯域幅を有する。そして、図１において、近接するセルＣ１〜Ｃ３およびセルＣｉ−１，Ｃｉ等は、ホッピングパターンが同一のグループに属する共通制御チャネルが設定される。
【０１１６】
アクセスポイント１〜ｉの各々において、ホッピングテーブル１０６は、図７に示すホッピングパターンを保持している。従って、アクセスポイント１〜ｉの各々において、選択手段１０５は、図７に示すホッピングパターンを参照して、各タイムフレームにおいて使用する共通制御チャネルを選択する。
【０１１７】
［アクセスポイントおよび移動端末間におけるデータチャネルの共有］
図８は、アクセスポイント１〜ｉと移動端末１１〜１ｉとの間でデータフレームの通信用に用いるデータチャネルを共有する方法を説明するための図である。なお、図８においては、セルＣ１に属するアクセスポイント１と移動端末１１との間でデータフレームの通信用に用いるデータチャネルを共有する方法について説明する。
【０１１８】
アクセスポイント１の選択手段１０５は、チャネルＣＨ１〜ＣＨ８０の各々におけるキャリアセンスの結果を送信手段１０２から受け、その受けたキャリアセンスの結果に基づいて、上述した方法によって、他のアクセスポイント２，３が使用している割合が高いグループとして周波数サブブロック１を選択する。
【０１１９】
そして、アクセスポイント１の選択手段１０５は、その選択した周波数サブブロック１に属する共通制御チャネルＣＣＨ１をアクセスポイント１が使用する初期の共通制御チャネルＣＣＨ＿ｉｎｉとして選択する。即ち、アクセスポイント１の選択手段１０５は、第１ホップ目において共通制御チャネルＣＣＨ１を選択する。
【０１２０】
アクセスポイント１の送信手段１０２は、選択手段１０５から共通制御チャネルＣＣＨ１を受け、センシング期間１において、受信手段１０３から受けた受信信号強度情報に基づいて共通制御チャネルＣＣＨ１上でキャリアセンスを行なう。
【０１２１】
アクセスポイント１の送信手段１０２は、キャリアセンスの結果、共通制御チャネルＣＣＨ１が未使用であれば、チャネルＣＨ１〜ＣＨ８０に対する使用状況を“１”または“０”で示したマップ（＝データチャネル選択情報）を含む制御情報フレームＣＴＬＦ１を生成し、その生成した制御情報フレームＣＴＬＦ１を共通制御チャネルＣＣＨ１を用いてタイムフレームＴＦ１のスロット（＝ＤＬ１）で移動端末１１へ送信する。
【０１２２】
そして、移動端末１１の受信手段１１３は、アンテナ１１１を介して共通制御チャネルＣＣＨ１〜ＣＣＨ１６の周波数帯域（＝２４０２〜２４８１ＭＨｚ）でフレームの到来検出を行ない、制御情報フレームＣＴＬＦ１を共通制御チャネルＣＣＨ１で受信し、その受信した制御情報フレームＣＴＬＦ１をチャネル決定手段１１４へ出力するとともに、制御情報フレームＣＴＬＦ１を受信した共通制御チャネルＣＣＨ１を送信手段１１２へ出力する。
【０１２３】
その後、移動端末１１のチャネル決定手段１１４は、受信手段１１３から制御情報フレームＣＴＬＦ１を受け、その受けた制御情報フレームＣＴＬＦ１のマップを参照して、アクセスポイント１が観測したチャネルＣＨ１〜ＣＨ８０の使用状況を取得する。また、移動端末１１のチャネル決定手段１１４は、送信手段１１２が観測したチャネルＣＨ１〜ＣＨ８０の使用状況を送信手段１１２から受ける。
【０１２４】
そうすると、移動端末１１のチャネル決定手段１１４は、アクセスポイント１から受信したチャネルＣＨ１〜ＣＨ８０の使用状況と、送信手段１１２から受けたチャネルＣＨ１〜ＣＨ８０の使用状況とに基づいて、チャネルＣＨ１〜ＣＨ８０から共通制御チャネルＣＣＨ１〜ＣＣＨ１６を除いた６４個のチャネルのうちの未使用なチャネルを移動端末１１がデータフレームの通信用に用いるデータチャネルＤＣＨ＿１として決定する。そして、移動端末１１のチャネル決定手段１１４は、その決定したデータチャネルＤＣＨ＿１を送信手段１１２へ出力する。
【０１２５】
その後、移動端末１１の送信手段１１２は、データチャネルＤＣＨ＿１をチャネル決定手段１１４から受け、共通制御チャネルＣＣＨ１を受信手段１１３から受ける。そして、移動端末１１の送信手段１１２は、データチャネルＤＣＨ＿１を含む制御情報フレームＣＴＬＦ２を生成し、その生成した制御情報フレームＣＴＬＦ２を共通制御チャネルＣＣＨ１を用いてタイムフレームＴＦ１のスロット（＝ＵＬ１）でアクセスポイント１へ送信する。
【０１２６】
アクセスポイント１の受信手段１０３は、アンテナ１０１を介してフレームの到来検出を行ない、共通制御チャネルＣＣＨ１で制御情報フレームＣＴＬＦ２を受信し、その受信した制御情報フレームＣＴＬＦ２を送信手段１０２へ出力する。
【０１２７】
そして、アクセスポイント１の送信手段１０２は、受信手段１０３から受けた制御情報フレームＣＴＬＦ２に含まれるデータチャネルＤＣＨ＿１を検出し、移動端末１１がデータフレームの通信用に用いるデータチャネルがデータチャネルＤＣＨ＿１であることを検知する。
【０１２８】
これによって、データチャネルＤＣＨ＿１がアクセスポイント１および移動端末１１間で共有される。
【０１２９】
その後、アクセスポイント１および移動端末１１は、キャリアセンスによってデータチャネルＤＣＨ＿１のうち、データフレームの送信時に未使用なチャネルを選択し、その選択したチャネルを用いてデータフレームＤＴＦ１を時分割で相互に送受信する。
【０１３０】
なお、移動端末１１の受信手段１１３は、アンテナ１１１を介して共通制御チャネルＣＣＨ１〜ＣＣＨ１６の周波数帯域（＝２４０２〜２４８１ＭＨｚ）でフレームの到来検出を行なった結果、制御情報フレームＣＴＬＦ１のみならず、他のセルＣ２に属するアクセスポイント２からの制御情報フレームＣＴＬＦ３を受信した場合、制御情報フレームＣＴＬＦ１および制御情報フレームＣＴＬＦ３をチャネル決定手段１１４へ出力する。
【０１３１】
そして、移動端末１１のチャネル決定手段１１４は、制御情報フレームＣＴＬＦ１に含まれるチャネルＣＨ１〜ＣＨ８０の使用状況と、制御情報フレームＣＴＬＦ３に含まれるチャネルＣＨ１〜ＣＨ８０の使用状況と、送信手段１１２から受けたチャネルＣＨ１〜ＣＨ８０の使用状況とに基づいて、上述した方法によってデータチャネルＤＣＨ＿１を決定する。
【０１３２】
これによって、セルＣ１に隣接するセルＣ２内で未使用なチャネルからデータチャネルＤＣＨ＿１を決定でき、セルＣ１，Ｃ２間で干渉を回避できる。
【０１３３】
一方、アクセスポイント１の送信手段１０２は、センシング期間１における共通制御チャネルＣＣＨ１でのキャリアセンスの結果、共通制御チャネルＣＣＨ１が使用中であれば、タイムフレームＴＦ１における制御情報フレームＣＴＬＦの送信を停止する。
【０１３４】
タイムフレームＴＦ１の終了後、アクセスポイント１の選択手段１０５は、同期確立手段１０７からのクロックに同期してタイムフレームＴＦ２を検知すると、ホッピングテーブル１０６に格納されたホッピングパターン（図７参照）を参照して、タイムフレームＴＦ２において使用する共通制御チャネルとして共通制御チャネルＣＣＨ９を選択する。即ち、使用する共通制御チャネルは、共通制御チャネルＣＣＨ１から共通制御チャネルＣＣＨ９へホッピングする。そして、アクセスポイント１の選択手段１０５は、その選択した共通制御チャネルＣＣＨ９を送信手段１０２へ出力する。
【０１３５】
この場合、アクセスポイント１の選択手段１０５は、送信手段１０２がタイムフレームＴＦ１において制御情報フレームＣＴＬＦを移動端末１１へ送信していない場合も、同様にして共通制御チャネルＣＣＨ９を選択して送信手段１０２へ出力する。
【０１３６】
アクセスポイント１の送信手段１０２は、共通制御チャネルＣＣＨ９を選択手段１０５から受け、センシング期間２において、受信手段１０３から受けた受信信号強度情報に基づいて共通制御チャネルＣＣＨ９でキャリアセンスする。そして、アクセスポイント１の送信手段１０２は、共通制御チャネルＣＣＨ９が未使用であれば、チャネルＣＨ１〜ＣＨ８０に対する使用状況を“１”または“０”で示したマップ（＝データチャネル選択情報）を含む制御情報フレームＣＴＬＦ４を生成し、その生成した制御情報フレームＣＴＬＦ４を共通制御チャネルＣＣＨ９を用いてタイムフレームＴＦ２のスロット（＝ＤＬ２）で移動端末１１へ送信する。
【０１３７】
そして、移動端末１１の受信手段１１３は、アンテナ１１１を介して共通制御チャネルＣＣＨ１〜ＣＣＨ１６の周波数帯域（＝２４０２〜２４８１ＭＨｚ）でフレームの到来検出を行ない、制御情報フレームＣＴＬＦ４を共通制御チャネルＣＣＨ９で受信し、その受信した制御情報フレームＣＴＬＦ４をチャネル決定手段１１４へ出力するとともに、制御情報フレームＣＴＬＦ４を受信した共通制御チャネルＣＣＨ９を送信手段１１２へ出力する。
【０１３８】
その後、移動端末１１のチャネル決定手段１１４は、受信手段１１３から制御情報フレームＣＴＬＦ４を受け、その受けた制御情報フレームＣＴＬＦ４のマップを参照して、アクセスポイント１が観測したチャネルＣＨ１〜ＣＨ８０の使用状況を取得する。また、移動端末１１のチャネル決定手段１１４は、送信手段１１２が観測したチャネルＣＨ１〜ＣＨ８０の使用状況を送信手段１１２から受ける。
【０１３９】
そうすると、移動端末１１のチャネル決定手段１１４は、アクセスポイント１から受信したチャネルＣＨ１〜ＣＨ８０の使用状況と、送信手段１１２から受けたチャネルＣＨ１〜ＣＨ８０の使用状況とに基づいて、チャネルＣＨ１〜ＣＨ８０から共通制御チャネルＣＣＨ１〜ＣＣＨ１６を除いた６４個のチャネルのうちの未使用なチャネルを移動端末１１がデータフレームの通信用に用いるデータチャネルＤＣＨ＿２として決定する。そして、移動端末１１のチャネル決定手段１１４は、その決定したデータチャネルＤＣＨ＿２を送信手段１１２へ出力する。
【０１４０】
その後、移動端末１１の送信手段１１２は、データチャネルＤＣＨ＿２をチャネル決定手段１１４から受け、共通制御チャネルＣＣＨ９を受信手段１１３から受ける。そして、移動端末１１の送信手段１１２は、データチャネルＤＣＨ＿２を含む制御情報フレームＣＴＬＦ５を生成し、その生成した制御情報フレームＣＴＬＦ５を共通制御チャネルＣＣＨ９を用いてタイムフレームＴＦ２のスロット（＝ＵＬ２）でアクセスポイント１へ送信する。
【０１４１】
アクセスポイント１の受信手段１０３は、アンテナ１０１を介してフレームの到来検出を行ない、共通制御チャネルＣＣＨ９で制御情報フレームＣＴＬＦ５を受信し、その受信した制御情報フレームＣＴＬＦ５を送信手段１０２へ出力する。
【０１４２】
そして、アクセスポイント１の送信手段１０２は、受信手段１０３から受けた制御情報フレームＣＴＬＦ５に含まれるデータチャネルＤＣＨ＿２を検出し、移動端末１１がデータフレームの通信用に用いるデータチャネルがデータチャネルＤＣＨ＿２であることを検知する。
【０１４３】
これによって、データチャネルＤＣＨ＿２がアクセスポイント１および移動端末１１間で共有される。
【０１４４】
その後、アクセスポイント１および移動端末１１は、キャリアセンスによってデータチャネルＤＣＨ＿２のうち、データフレームの送信時に未使用なチャネルを選択し、その選択したチャネルを用いてデータフレームＤＴＦ２を時分割で相互に送受信する。
【０１４５】
なお、タイムフレームＴＦ２においても、移動端末１１の受信手段１１３は、アンテナ１１１を介して共通制御チャネルＣＣＨ１〜ＣＣＨ１６の周波数帯域（＝２４０２〜２４８１ＭＨｚ）でフレームの到来検出を行なった結果、制御情報フレームＣＴＬＦ５のみならず、他のセルＣ２に属するアクセスポイント２からの制御情報フレームＣＴＬＦ６を受信した場合、制御情報フレームＣＴＬＦ５および制御情報フレームＣＴＬＦ６をチャネル決定手段１１４へ出力する。
【０１４６】
そして、移動端末１１のチャネル決定手段１１４は、制御情報フレームＣＴＬＦ５に含まれるチャネルＣＨ１〜ＣＨ８０の使用状況と、制御情報フレームＣＴＬＦ６に含まれるチャネルＣＨ１〜ＣＨ８０の使用状況と、送信手段１１２から受けたチャネルＣＨ１〜ＣＨ８０の使用状況とに基づいて、上述した方法によってデータチャネルＤＣＨ＿２を決定する。
【０１４７】
これによって、セルＣ１に隣接するセルＣ２内で未使用なチャネルからデータチャネルＤＣＨ＿２を決定でき、タイムフレームＴＦ２においてもセルＣ１，Ｃ２間で干渉を回避できる。
【０１４８】
一方、アクセスポイント１の送信手段１０２は、センシング期間２における共通制御チャネルＣＣＨ９でのキャリアセンスの結果、共通制御チャネルＣＣＨ９が使用中であれば、タイムフレームＴＦ２における制御情報フレームＣＴＬＦの送信を停止する。
【０１４９】
それ以後、アクセスポイント１は、上述した動作を繰返し実行して各タイムフレームＴＦごとに共通制御チャネルＣＣＨをホッピングパターン（図７参照）に従って変更し、その変更した共通制御チャネルＣＣＨを用いてチャネルＣＨ１〜ＣＨ８０の使用状況を含む制御情報フレームＣＴＬＦを移動端末１１へ時分割で送信する。そして、移動端末１１は、各タイムフレームＴＦごとに、上述した方法によってデータチャネルＤＣＨを決定してアクセスポイント１へ送信する。これによって、アクセスポイント１および移動端末１１は、各タイムフレームＴＦごとにデータチャネルＤＣＨを共有する。
【０１５０】
なお、アクセスポイント２〜ｉおよび移動端末１２〜１ｉも、アクセスポイント１および移動端末１１と同じ方法によってデータチャネルＤＣＨを共有する。
【０１５１】
上述した方法によれば、データフレームの送信に先立って使用する周波数チャネルを各セルＣ１〜Ｃｉにおいて自律分散的に決定し、その情報が共通制御チャネル上で送受信ノード（アクセスポイント１〜ｉおよび移動端末１１〜１ｉ）間で交換される。
【０１５２】
［隣接するアクセスポイント間におけるデータチャネルの決定］
セルＣ１は、セルＣ２，Ｃ３と隣接している。この場合、セルＣ１を管理するアクセスポイント１は、セルＣ２を管理するアクセスポイント２よりも遅くオンされることがある。
【０１５３】
このような場合、アクセスポイント２は、上述した方法によって、移動端末１２との間でデータチャネルを共有し、その共有したデータチャネルを用いて移動端末１２との間でデータフレームを送受信している。
【０１５４】
その結果、アクセスポイント１は、アクセスポイント２がデータフレームの送受信に用いているデータチャネルとの衝突を回避してデータチャネルを選択することが困難である。
【０１５５】
そこで、他のアクセスポイント２に遅れてオンされたアクセスポイント１がデータチャネルを決定する方法について説明する。
【０１５６】
アクセスポイント１は、上述した方法によって、共通制御チャネルを定期的に選択し、その選択した共通制御チャネルを用いてデータチャネル選択情報を含む制御情報フレームを定期的に送信する。
【０１５７】
また、アクセスポイント２も、上述した方法によって、共通制御チャネルを定期的に選択し、その選択した共通制御チャネルを用いてデータチャネル選択情報を含む制御フレームを定期的に送信する。
【０１５８】
そして、アクセスポイント１は、例えば、タイムフレームＴＦ１において共通制御チャネルＣＣＨ１を用いてデータチャネル選択情報ＤＣＳＩ１を含む制御情報フレームＣＴＬＦ７を送信する。また、アクセスポイント２は、例えば、タイムフレームＴＦ１において共通制御チャネルＣＣＨ２を用いてデータチャネル選択情報ＤＣＳＩ２を含む制御情報フレームＣＴＬＦ８を送信する。
【０１５９】
図９は、データチャネル選択情報の例を示す図である。なお、図９においては、チャネルＣＨ７〜ＣＨ８０は、全て使用中であるものとする。
【０１６０】
図９を参照して、アクセスポイント１は、データチャネル選択情報ＤＣＳＩ１−１（データチャネル選択情報ＤＣＳＩ１の一種）を含む制御情報フレームＣＴＬＦ７を共通制御チャネルＣＣＨ１を用いて送信し、アクセスポイント２は、データチャネル選択情報ＤＣＳＩ２−１（データチャネル選択情報ＤＣＳＩ２の一種）を含む制御情報フレームＣＴＬＦ８を共通制御チャネルＣＣＨ２を用いて送信する。
【０１６１】
そして、アクセスポイント１の受信手段１０３は、アンテナ１０１を介してチャネルＣＨ１〜ＣＨ８０でフレームの到来検出を行い、共通制御チャネルＣＣＨ２で制御情報フレームＣＴＬＦ８を受信する。その後、アクセスポイント１の受信手段１０３は、その受信した制御情報フレームＣＴＬＦ８をチャネル決定手段１０４へ出力し、制御情報フレームＣＴＬＦ８および共通制御チャネルＣＣＨ２を送信手段１０２へ出力する。
【０１６２】
アクセスポイント１のチャネル決定手段１０４は、制御情報フレームＣＴＬＦ８を受け、その受けた制御情報フレームＣＴＬＦ８に含まれるデータチャネル選択情報ＤＣＳＩ２−１（図９の（ｂ）参照）を取り出す。
【０１６３】
また、アクセスポイント１のチャネル決定手段１０４は、送信手段１０２からデータチャネル選択情報ＤＣＳＩ１−１（図９の（ａ）参照）を受ける。
【０１６４】
そうすると、アクセスポイント１のチャネル決定手段１０４は、データチャネル選択情報ＤＣＳＩ１−１，ＤＣＳＩ２−１に基づいて、未使用中のチャネルＣＨ２，ＣＨ４，ＣＨ５を重複するデータチャネルＤＤＣとして決定する。
【０１６５】
そして、アクセスポイント１のチャネル決定手段１０４は、重複するデータチャネルＤＤＣの中から開放を要求する開放要求データチャネルＲＤＤＣ（＝例えば、ＣＨ５）を決定する。その後、アクセスポイント１のチャネル決定手段１０４は、その決定した開放要求データチャネルＲＤＤＣ（＝ＣＨ５）を送信手段１０２へ出力する。
【０１６６】
このように、アクセスポイント１は、アクセスポイント１，２が共に使用を予定しているチャネルＣＨ２，ＣＨ４，ＣＨ５を重複するデータチャネルＤＤＣとして決定し、その決定した重複するデータチャネルＤＤＣ（＝ＣＨ２，ＣＨ４，ＣＨ５）の中から開放要求データチャネルＲＤＤＣ（＝ＣＨ５）を決定することによって、アクセスポイント１，２がデータ通信用に用いるデータチャネルを相互に異なったチャネルに設定でき、セルＣ１，Ｃ２間における衝突を回避できる。
【０１６７】
アクセスポイント１の送信手段１０２は、共通制御チャネルＣＣＨ２を受信手段１０３から受け、開放要求データチャネルＲＤＤＣ（＝ＣＨ５）をチャネル決定手段１０４から受ける。
【０１６８】
そして、アクセスポイント１の送信手段１０２は、開放要求データチャネルＲＤＤＣ（＝ＣＨ５）を含む制御情報フレームＣＴＬＦ９を生成し、その生成した制御情報フレームＣＴＬＦ９を共通制御チャネルＣＣＨ２を用いてアクセスポイント２へ送信する。つまり、アクセスポイント１は、アクセスポイント２の移動端末として制御情報フレームＣＴＬＦ９をアクセスポイント２へ送信する。
【０１６９】
アクセスポイント２の受信手段１０３は、アンテナ１０１を介してチャネルＣＨ１〜ＣＨ８０でフレームの到来検出を行い、共通制御チャネルＣＣＨ２で制御情報フレームＣＴＬＦ９を受信する。そして、アクセスポイント２の受信手段１０３は、その受信した制御情報フレームＣＴＬＦ９をチャネル決定手段１０４へ出力する。
【０１７０】
アクセスポイント２のチャネル決定手段１０４は、制御情報フレームＣＴＬＦ９を受け、その受けた制御情報フレームＣＴＬＦ９に含まれる開放要求データチャネルＲＤＤＣ（＝ＣＨ５）を取り出す。
【０１７１】
そして、アクセスポイント２のチャネル決定手段１０４は、送信手段１０２から受けたデータチャネル選択情報ＤＣＳＩ２−１に基づいて、開放するデータチャネルを決定する。より具体的には、アクセスポイント２のチャネル決定手段１０４は、開放要求データチャネルＲＤＤＣ（＝ＣＨ５）がデータチャネル選択情報ＤＣＳＩ２−１において未使用中であるチャネルＣＨ２，ＣＨ４，ＣＨ５に含まれることを確認し、開放するデータチャネルとしてチャネルＣＨ５を決定する。
【０１７２】
その後、アクセスポイント２のチャネル決定手段１０４は、データチャネル選択情報ＤＣＳＩ２−１からチャネルＣＨ５を削除してデータチャネル選択情報ＤＣＳＩ２−２（図９の（ｃ）参照）を作成するとともに、チャネルＣＨ５を送信手段１０２へ出力する。
【０１７３】
このように、データチャネル選択情報ＤＣＳＩ２−１からチャネルＣＨ５を削除することによって、アクセスポイント１，２がデータ通信用に用いるデータチャネルを相互に異なるチャネルに設定することを確実に行なうことができる。アクセスポイント２は、チャネルＣＨ５が削除されたデータチャネル選択情報ＤＣＳＩ２−２に基づいて、移動端末１２との間でデータフレームの送受信に用いるデータチャネルを決定するからである。
【０１７４】
アクセスポイント２の送信手段１０２は、開放するデータチャネルＲＤＣ（＝ＣＨ５）をチャネル決定手段１０４から受ける。そして、アクセスポイント２の送信手段１０２は、その受けた開放するデータチャネルＲＤＣ（＝ＣＨ５）を含む制御情報フレームＣＴＬＦ１０を生成し、その生成した制御情報フレームＣＴＬＦ１０を共通制御チャネルＣＣＨ２を用いてアクセスポイント１へ送信する。
【０１７５】
アクセスポイント１の受信手段１０３は、アンテナ１０１を介してチャネルＣＨ１〜ＣＨ８０でフレームの到来検出を行い、共通制御チャネルＣＣＨ２で制御情報フレームＣＴＬＦ１０を受信する。そして、アクセスポイント１の受信手段１０３は、制御情報フレームＣＴＬＦ１０を送信手段１０２へ出力する。つまり、アクセスポイント１は、アクセスポイント２の移動端末として制御情報フレームＣＴＬＦ１０をアクセスポイント２から受信する。
【０１７６】
アクセスポイント１の送信手段１０２は、制御情報フレームＣＴＬＦ１０を受け、その受けた制御情報フレームＣＴＬＦ１０から、開放されたデータチャネルＲＤＣ（＝ＣＨ５）を取り出す。また、アクセスポイント１の送信手段１０２は、制御情報フレームＣＴＬＦ８からデータチャネル選択情報ＤＣＳＩ２−１を取り出す。
【０１７７】
そして、アクセスポイント１の送信手段１０２は、データチャネル選択情報ＤＣＳＩ２−１に基づいて、アクセスポイント２が使用を予定しているチャネルＣＨ２，ＣＨ４，ＣＨ５を検出し、その検出したチャネルＣＨ２，ＣＨ４，ＣＨ５をデータチャネル選択情報ＤＣＳＩ１−１から削除する。その後、アクセスポイント１の送信手段１０２は、開放されたデータチャネルＲＤＣ（＝ＣＨ５）をデータチャネル選択情報ＤＣＳＩ１−１に追加してデータチャネル選択情報ＤＣＳＩ１−２（図９の（ｄ）参照）を作成する。この場合、アクセスポイント１の送信手段１０２は、開放されたデータチャネルＲＤＣ（＝ＣＨ５）を使用中のチャネルとしてデータチャネル選択情報ＤＣＳＩ１−１に追加する。
【０１７８】
なお、アクセスポイント１がアクセスポイント２が使用を予定しているチャネルＣＨ２，ＣＨ４，ＣＨ５をデータチャネル選択情報ＤＣＳＩ１−１から削除することによって、アクセスポイント１，２がデータ通信用に用いるデータチャネルを相互に異なるチャネルに設定することを確保できる。アクセスポイント１は、データチャネル選択情報ＤＣＳＩ１−２に基づいて、移動端末１１との間でデータフレームを送受信するためのデータチャネルを決定し、データチャネル選択情報ＤＣＳＩ１−２においては、チャネルＣＨ２，ＣＨ４が削除されており、データチャネル選択情報ＤＣＳＩ２−２においては、チャネルＣＨ５が削除されているからである。
【０１７９】
このように、アクセスポイント１は、アクセスポイント２よりも遅れてオンされる等の原因によって、優先順位が低い場合、アクセスポイント２の移動端末として開放要求データチャネルＲＤＤＣをアクセスポイント２へ送信し、アクセスポイント２は、自己が使用を予定しているチャネルＣＨ２，ＣＨ４，ＣＨ５の一部をアクセスポイント１が使用できるように調整する。
【０１８０】
従って、アクセスポイント１がデータチャネルを使用できるようになり、セルＣ１内におけるデータ伝送のスループットを向上できる。
【０１８１】
なお、アクセスポイント１以外のアクセスポイント２〜ｉも、優先順位が他のアクセスポイントよりも低い場合、上述した方法によって、データ通信用に用いるデータチャネルを取得する。
【０１８２】
図１０は、無線通信システム１００の１つのセルに属するアクセスポイントおよび移動端末の動作を説明するためのフローチャートである。
【０１８３】
なお、図１０においては、セルＣ１に属するアクセスポイント１および移動端末１１の動作を説明する。
【０１８４】
一連の動作が開始されると、アクセスポイント１の選択手段１０５は、上述した方法によって、初期の共通制御チャネルＣＣＨ＿ｉｎｉを選択し、その選択した共通制御チャネルＣＣＨ＿ｉｎｉを共通制御チャネルＣＣＨと設定する（ステップＳ１）。
【０１８５】
そして、アクセスポイント１は、ｍ＝１を設定し（ステップＳ２）、共通制御チャネルＣＣＨを送信手段１０２へ出力する。その後、アクセスポイント１の送信手段１０２は、タイムフレームＴＦ（ｍ）のセンシング期間において、受信手段１０３から受けた受信信号強度情報に基づいて共通制御チャネルＣＣＨでキャリアセンスし（ステップＳ３）、共通制御チャネルＣＣＨが使用中であるか否かを判定する（ステップＳ４）。
【０１８６】
ステップＳ４において、共通制御チャネルＣＣＨが使用中でないと判定されたとき、アクセスポイント１の送信手段１０２は、タイムフレームＴＦ（ｍ）の３個のスロット（＝ＤＬ１，ＵＬ１；ＤＬ２，ＵＬ２；ＤＬ３，ＵＬ３）の中から任意の１個のスロットを選択する（ステップＳ５）。
【０１８７】
その後、アクセスポイント１の送信手段１０２は、チャネルＣＨ１〜ＣＨ８０でのキャリアセンス結果に基づいて、上述した方法によって、チャネルＣＨ１〜ＣＨ８０の使用状況を示すマップを含む制御情報フレームＣＴＬＦ１を生成する（ステップＳ６）。
【０１８８】
そして、アクセスポイント１の送信手段１０２は、タイムフレームＴＦ（ｍ）において、選択したスロットで共通制御チャネルＣＣＨを用いて制御情報フレームＣＴＬＦ１を移動端末１１へ送信する（ステップＳ７）。
【０１８９】
そうすると、移動端末１１の受信手段１１３は、チャネルＣＨ１〜ＣＨ８０でフレームの到来検出を行い、共通制御チャネルＣＣＨで制御情報フレームＣＴＬＦ１を受信する（ステップＳ８）。
【０１９０】
そして、移動端末１１の受信手段１１３は、制御情報フレームＣＴＬＦ１をチャネル決定手段１１４へ出力するとともに、制御情報フレームＣＴＬＦ１を受信したときの共通制御チャネルＣＣＨを送信手段１１２へ出力する。
【０１９１】
その後、移動端末１１のチャネル決定手段１１４は、制御情報フレームＣＴＬＦ１から取り出したチャネルＣＨ１〜ＣＨ８０の使用状況と、送信手段１１２が観測したチャネルＣＨ１〜ＣＨ８０の使用状況とに基づいて、データチャネルＤＣＨを決定し（ステップＳ９）、その決定したデータチャネルＤＣＨを送信手段１１２へ出力する。
【０１９２】
移動端末１１の送信手段１１２は、データチャネルＤＣＨをチャネル決定手段１１４から受け、共通制御チャネルＣＣＨを受信手段１１３から受ける。そして、移動端末１１の送信手段１１２は、データチャネルＤＣＨを含む制御情報フレームＣＴＬＦ２を生成し（ステップＳ１０）、アクセスポイント１と同じ番号のスロットを選択する（ステップＳ１１）。例えば、アクセスポイント１がＤＬ１からなるスロットを選択したのであれば、移動端末１１の送信手段１１２は、ＵＬ１からなるスロットを選択する。なお、アクセスポイント１〜ｉおよび移動端末１１〜１ｉ間では同期が取れているので、移動端末１１の送信手段１１２は、受信手段１１３が制御情報フレームＣＴＬＦ１を受信したタイミング（即ち、共通制御チャネルＣＣＨを受信手段１１３から受けるタイミング）によって、アクセスポイント１が選択したスロットを検知できる。
【０１９３】
ステップＳ１１の後、移動端末１１の送信手段１１２は、選択したスロットで共通制御チャネルＣＣＨを用いて制御情報フレームＣＴＬＦ２をアクセスポイント１へ送信する（ステップＳ１２）。
【０１９４】
そして、アクセスポイント１の受信手段１０３は、チャネルＣＨ１〜ＣＨ８０でフレームの到来検出を行ない、共通制御チャネルＣＣＨで制御情報フレームＣＴＬＦ２を受信し（ステップＳ１３）、その受信した制御情報フレームＣＴＬＦ２を送信手段１０２へ出力する。
【０１９５】
その後、アクセスポイント１の送信手段１０２は、受信手段１０３から制御情報フレームＣＴＬＦ２を受け、その受けた制御情報フレームＣＴＬＦ２からデータチャネルＤＣＨを検出する（ステップＳ１４）。これによって、データチャネルＤＣＨがアクセスポイント１および移動端末１１間で共有される。
【０１９６】
そして、アクセスポイント１および移動端末１１は、データチャネルＤＣＨでキャリアセンスを行ない、データチャネルＤＣＨのうちに未使用なチャネルがあれば、データフレームを生成し、未使用なチャネルを用いてデータフレームを時分割で相互に送受信する（ステップＳ１５）。
【０１９７】
なお、データチャネルＤＣＨの全てが使用中であれば、アクセスポイント１および移動端末１１は、データフレームの送信を停止する。
【０１９８】
一方、ステップＳ４において、共通制御チャネルＣＣＨが使用中であると判定されたとき、アクセスポイント１の送信手段１０２は、制御情報フレームＣＴＬＦの送信を停止する（ステップＳ１６）。
【０１９９】
そして、ステップＳ１５またはステップＳ１６の後、アクセスポイント１は、ｍ＝ｍ＋１を設定し（ステップＳ１７）、タイムフレームＴＦ（ｍ）においてホッピングパターンに従って共通制御チャネルを変更し、変更後の共通制御チャネルＣＣＨ＿ｈｏｐを共通制御チャネルＣＣＨに設定する（ステップＳ１８）。
【０２００】
以後、一連の動作は、ステップＳ３へ戻り、上述したステップＳ３〜ステップＳ１８が繰返し実行される。
【０２０１】
そして、ステップＳ５が２回目以降に実行される場合、アクセスポイント１の送信手段１０２は、前回選択したスロットの番号を１つインクリメントしてスロットを選択し、ＤＬ３からなるスロットを選択した後にスロットを選択するときは、ＤＬ１からなるスロットを選択する。
【０２０２】
このように、３個のスロットから１個のスロットを選択して制御情報フレームＣＴＬＦを送信することによって、同じ共通制御チャネルＣＣＨを使用するアクセスポイントは、時分割で制御情報フレームＣＴＬＦを送信できる。
【０２０３】
上述したように、この発明の実施の形態においては、タイムフレーム単位で共通制御チャネルＣＣＨをホッピングパターンに従って変更し、時分割で制御情報フレームＣＴＬＦを送受信するので、最大で４８セル間で衝突を回避してデータフレームの通信用に用いるデータチャネルを示すデータチャネル選択情報を交換し、アクセスポイント１および移動端末１１間でデータチャネル選択情報を共有できる。
【０２０４】
また、チャネルＣＨ１〜ＣＨ８０の全ての使用状況を示すマップは、タイムフレーム単位（５ｍｓごと）で制御情報フレームＣＴＬＦに含まれてアクセスポイントから移動端末へ送信されるので、周波数方向および時間方向の両方に随時変化する空いている周波数資源を有効に利用できる。
【０２０５】
なお、セルＣ２〜Ｃｉに含まれるアクセスポイント２〜ｉおよび移動端末１２〜１ｉの動作も、図１０に示すフローチャートに従って実行される。
【０２０６】
図１１は、アクセスポイント間におけるデータチャネルの決定を説明するためのフローチャートである。なお、図１１において、アクセスポイント１，２間におけるデータチャネルの決定について説明する。
【０２０７】
図１１を参照して、一連の動作が開始されると、アクセスポイント１は、共通制御チャネルＣＣＨ１を選択し、その選択した共通制御チャネルＣＣＨ１を用いてデータチャネル選択情報ＤＣＳＩ１を含む制御情報フレームＣＴＬＦ７を送信する（ステップＳ２１）。
【０２０８】
そして、アクセスポイント２は、アンテナ１０１を介してチャネルＣＨ１〜ＣＨ８０でフレームの到来検出を行い、共通制御チャネルＣＣＨ１用いて制御情報フレームＣＴＬＦ７を受信する（ステップＳ２２）。
【０２０９】
その後、アクセスポイント２は、共通制御チャネルＣＣＨ２を選択し、その選択した共通制御チャネルＣＣＨ２を用いてデータチャネル選択情報ＤＣＳＩ２を含む制御情報フレームＣＴＬＦ８を送信する（ステップＳ２３）。
【０２１０】
そして、アクセスポイント１は、アンテナ１０１を介してチャネルＣＨ１〜ＣＨ８０でフレームの到来検出を行い、共通制御チャネルＣＣＨ２で制御情報フレームＣＴＬＦ８を受信する（ステップＳ２４）。その後、アクセスポイント１は、その受信した制御情報フレームＣＴＬＦ８からデータチャネル選択情報ＤＣＳＩ２を取り出し、データチャネル選択情報ＤＣＳＩ１，ＤＣＳＩ２に基づいて、重複するデータチャネルＤＤＣを決定する（ステップＳ２５）。
【０２１１】
引き続いて、アクセスポイント１は、重複するデータチャネルＤＤＣの中から開放を要求する開放要求データチャネルＲＤＤＣを決定する（ステップＳ２６）。そして、アクセスポイント１は、開放要求データチャネルＲＤＤＣを含む制御情報フレームＣＴＬＦ９を生成し、その生成した制御情報フレームＣＴＬＦ９を共通制御チャネルＣＣＨ２を用いてアクセスポイント２へ送信する（ステップＳ２７）。つまり、アクセスポイント１は、アクセスポイント２の移動端末として制御情報フレームＣＴＬＦ９をアクセスポイント２へ送信する。
【０２１２】
アクセスポイント２は、アンテナ１０１を介してチャネルＣＨ１〜ＣＨ８０でフレームの到来検出を行い、共通制御チャネルＣＣＨ２で制御情報フレームＣＴＬＦ９を受信する（ステップＳ２８）。そして、アクセスポイント２は、その受信した制御情報フレームＣＴＬＦ９に含まれる開放要求データチャネルＲＤＤＣと、データチャネル選択情報ＤＣＳＩ２とに基づいて、上述した方法によって、開放するデータチャネルＲＤＣを決定する（ステップＳ２９）。
【０２１３】
その後、アクセスポイント２は、データチャネル選択情報ＤＣＳＩ２から、開放するデータチャネルＲＤＣを削除する（ステップＳ３０）。
【０２１４】
引き続いて、アクセスポイント２は、開放するデータチャネルＲＤＣを含む制御情報フレームＣＴＬＦ１０を生成し、その生成した制御情報フレームＣＴＬＦ１０を共通制御チャネルＣＣＨ２を用いてアクセスポイント１へ送信する（ステップＳ３１）。
【０２１５】
アクセスポイント１は、アンテナ１０１を介してチャネルＣＨ１〜ＣＨ８０でフレームの到来検出を行い、共通制御チャネルＣＣＨ２で制御情報フレームＣＴＬＦ１０を受信する（ステップＳ３２）。つまり、アクセスポイント１は、アクセスポイント２の移動端末として制御情報フレームＣＴＬＦ１０をアクセスポイント２から受信する。そして、アクセスポイント１は、データチャネル選択情報ＤＣＳＩ２に基づいて、アクセスポイント２が使用を予定しているチャネルを検出し、その検出したチャネルをデータチャネル選択情報ＤＣＳＩ１から削除する。その後、アクセスポイント１は、開放されたデータチャネルＲＤＣをデータチャネル選択情報ＤＣＳＩ１−１に追加する（ステップＳ３３）。これによって、一連の動作は、終了する。
【０２１６】
アクセスポイント１は、データ通信用に用いるデータチャネルを取得すると、図１０に示すフローチャートに従って移動端末１１との間でデータチャネルを共有し、移動端末１１との間でデータフレームを送受信する。
【０２１７】
なお、アクセスポイント１以外のアクセスポイント２〜ｉが隣接するアクセスポイントとの間でデータチャネルを決定する場合も、アクセスポイント２〜ｉは、図１１に示すフローチャートに従ってデータチャネルを決定する。
【０２１８】
このように、アクセスポイント１は、アクセスポイント２よりも遅れてオンされる等の原因によって、優先順位が低い場合、アクセスポイント２の移動端末として開放要求データチャネルＲＤＤＣをアクセスポイント２へ送信し、アクセスポイント２は、自己が使用を予定しているチャネルの一部をアクセスポイント１が使用できるように調整する。
【０２１９】
従って、アクセスポイント１がデータチャネルを使用できるようになり、セルＣ１内におけるデータ伝送のスループットを向上できる。
【０２２０】
なお、この発明の実施の形態においては、アクセスポイント１は、「無線装置」または「第１の無線装置」を構成し、アクセスポイント２は、「第２の無線装置」または「他の無線装置」を構成する。
【０２２１】
また、この発明の実施の形態においては、共通制御チャネルＣＣＨ１は、「第１の共通制御チャネル」を構成し、共通制御チャネルＣＣＨ２は、「第２の共通制御チャネル」を構成する。
【０２２２】
更に、データチャネル選択情報ＤＣＳＩ１は、「第１のデータチャネル選択情報」を構成し、データチャネル選択情報ＤＣＳＩ２は、「第２のデータチャネル選択情報」を構成する。
【０２２３】
更に、アクセスポイント１〜ｉがタイムフレーム単位で制御情報フレームを送受信することは、アクセスポイント１〜ｉが制御情報フレームを定期的に送受信することに相当する。
【０２２４】
更に、移動端末１１〜１ｉがタイムフレーム単位で制御情報フレームを送受信することは、移動端末１１〜１ｉが制御情報フレームを定期的に送受信することに相当する。
【０２２５】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２２６】
この発明は、セル内においてスループットを向上する無線装置に適用される。また、この発明は、セル内においてスループットを向上する無線装置を備えた無線通信システムに適用される。
【符号の説明】
【０２２７】
１〜ｉ  アクセスポイント、１１〜１ｉ  移動端末、１００  無線通信システム、１０１，１１１  アンテナ、１０２，１１２  送信手段、１０３，１１３  受信手段、１０４，１１４  チャネル決定手段、１０５  選択手段、１０６  ホッピングテーブル、１０７，１１５  同期確立手段。
【図１】
0005401725.tif 000003
【図２】
0005401725.tif 000004
【図３】
0005401725.tif 000005
【図４】
0005401725.tif 000006
【図５】
0005401725.tif 000007
【図６】
0005401725.tif 000008
【図７】
0005401725.tif 000009
【図８】
0005401725.tif 000010
【図９】
0005401725.tif 000011
【図１０】
0005401725.tif 000012
【図１１】
0005401725.tif 000013